(57)【要約】【課題】  データ電圧駆動回路の動作に伴い発生する高周波ノイズを、コストアップを抑制した状態で効果的に低減すること。【解決手段】  電源＋５０ＶとカラムドライバＩＣ５の電源端子ＶDDとの間には、負帰還用の抵抗１２ａ及びＰＭＯＳＦＥＴ１２ｂより成る第１の定電圧回路１２が接続され、カラムドライバＩＣ５の電源端子ＶDDとグラウンドＧＮＤとの間には、ＮＭＯＳＦＥＴ１４ａ及び負帰還用の抵抗１４ｂより成る第２の定電圧回路１４が接続される。例えば、負フィールド期間にＥＬ素子を発光させる際には、カラムドライバＩＣ５内のＰＭＯＳＦＥＴ１０をオンさせた状態で、ＥＬ素子の充電電流を第１の定電流回路１２を通じて流すと共に、そのＥＬ素子からの放電電流を第２の定電流回路１４を通じて流す。【選択図】  図１
2005292402.tif 000002
【特許請求の範囲】
【請求項１】
電圧印加に伴う充電状態で発光する容量性画素を備えた表示パネルのための駆動装置において、
前記画素に対するデータ電圧の印加制御を出力段回路を通じて行うデータ電圧駆動回路と、
オン状態で前記データ電圧駆動回路に電源電圧を与える第１のスイッチング手段と、
オン状態で前記ＥＬ素子の充電電荷を放電させる第２のスイッチング手段と、
前記第１のスイッチング手段を通じて流れる電流及び前記第２のスイッチング手段を通じて流れる電流の少なくとも一方を定電流化する定電流回路と、
外部から与えられる画像データに基づいて前記データ電圧駆動回路の出力段回路をオンした状態で前記第１のスイッチング手段をオンすると共に、前記第２のスイッチング手段をオフし、その後に所定の表示時間が経過したときに第１のスイッチング手段をオフして第２のスイッチング手段をオンする制御を行う制御手段とを備えたことを特徴とする表示パネル用駆動装置。
【請求項２】
データ電極及び走査電極間に容量性画素が形成された表示パネルを駆動するためのものであって、前記画素に対して、データ電圧駆動回路からのデータ電圧と走査電圧駆動回路からの走査電圧との合成電圧を正負のフィールド毎に交互に極性反転させた状態で印加するようにした表示パネル用駆動装置において、
オン状態で前記データ電圧駆動回路の電源端子を外部電源に接続する第１のスイッチング手段と、
オン状態でデータ電圧駆動回路の電源端子をグラウンドに接続する第２のスイッチング手段と、
前記第１のスイッチング手段を通じて流れる電流及び前記第２のスイッチング手段を通じて流れる電流の少なくとも一方を定電流化する定電流回路と、
外部から与えられる画像データに基づいて前記データ電圧駆動回路の出力段回路をオンした状態で前記第１のスイッチング手段をオンすると共に、前記第２のスイッチング素子をオフし、その後に所定の表示時間が経過したときに第１のスイッチング手段をオフして第２のスイッチング手段をオンするようにカラムドライバＩＣの制御を行う制御手段とを備えたことを特徴とする表示パネル用駆動装置。
【請求項３】
前記第１及び第２のスイッチング手段は、ＭＯＳＦＥＴにより構成され、
前記定電流回路は、前記ＭＯＳＦＥＴのソース側に負帰還抵抗を挿入することにより構成されたものであることを特徴とする請求項１または２記載の表示パネル用駆動装置。
【発明の詳細な説明】
【技術分野】
【０００１】
本発明は、無機ＥＬ表示パネルやプラズマディスプレイパネルのような比較的高電圧で駆動される電圧駆動型の表示パネルのための駆動装置に関する。
【背景技術】
【０００２】
例えばドットマトリクスタイプの無機ＥＬ表示パネルは、発光層の両側に、複数本ずつの走査電極及びデータ電極をマトリクス配置した構造（通常は、発光層と走査電極及びデータ電極との各間にそれぞれ絶縁膜を配置した二重絶縁膜構造が採用されることが多い）となっており、各電極が交差する位置に形成された表示画素を、走査電極の線順次走査を行うためのロウドライバＩＣ及びデータ電極を駆動するためのカラムドライバＩＣなどを備えた駆動装置により発光させる構成となっている。このような無機ＥＬ表示パネルは容量性負荷となるため、データ電極に対し例えば０（Ｖ）からＶｈ（Ｖ）までステップ状に立ち上がる電圧を印加すると、次式に示すような負荷電流Ｉが過渡的に流れるようになる。
【０００３】
Ｉ（ｔ）＝（Ｖｈ／ｒ）×ｅｘｐ（−ｔ/τ）
但し、ｔは初期状態からの経過時間、ｒは配線抵抗などによる抵抗成分、τは時定数τ（ｒ×負荷容量）を示す。
従って、データ電極に対する電圧印加時には、その初期状態（ｔ＝０）において瞬間的にＶｈ／ｒという大きなピーク電流が流れることになって、カラムドライバＩＣでのスイッチングノイズの原因になる。この電流は立ち上がりが急峻であるため大きな高周波電流の発生要因となるが、無機ＥＬ表示パネルでは印加電圧Ｖｈとして５０Ｖという高電圧を使用するため、液晶表示パネルなどに比べて高周波電流が更に大きくなって、これが無視できないレベルの高周波ノイズの発生源になるという問題点があった。
【０００４】
このようなノイズ対策のために、従来では、特許文献１に見られるように、電磁波シールド性を有した接着フィルムにより電磁シールドを行う手段、或いは特許文献２に見られるように、駆動電圧系配線のインピーダンスを低く抑えて高周波のピーク電流の流れに起因したノイズ発生を抑制する手段などが考えられている。また、これ以外にも、デカップリングコンデンサやノイズフィルタを接続したり、出力段に外付け抵抗を挿入したりするなど、一般的な対策も種々存在する。
【特許文献１】特開平１０−４１６８２号公報
【特許文献２】特開２０００−２５０４２５号公報
【発明の開示】
【発明が解決しようとする課題】
【０００５】
上記のような対策は、発生した高周波ノイズを減衰させるという受動的なもので、ノイズ発生源からのノイズ自体のレベルを抑えるという対策ではなく、特に、無機ＥＬ表示パネルのカラムドライバＩＣのスイッチングノイズ対策として十分とは言えないものであった。その理由は、例えば、マイコンなどにおけるクロックノイズは、マイコン内部が発振源になるものであって、その電流ループが小さい面積となるため、従来のコンデンサやフィルタを使用する手段で高周波ノイズをマイコン内部で抑え込み易いという事情がある。しかしながら、無機ＥＬ表示パネル用駆動装置の場合は、最も高電圧であるロウドライバＩＣの出力電流のスイッチングノイズより、カラムドライバＩＣの出力電流のスイッチングノイズの方がノイズ源として支配的であり、実験によれば、カラムドライバＩＣのノイズに与える寄与度はロウドライバＩＣに比べて、約７．５倍（分散比）と大きく、カラムドライバＩＣのスイッチングノイズがなくなれば１０ｄＢ以上の低減が可能である。
【０００６】
また、実験によって、高周波電流の経路は、（１）カラムドライバＩＣから、無機ＥＬ表示パネルを経由してカラムドライバＩＣへ戻る経路、（２）カラムドライバＩＣから、無機ＥＬ表示パネルを介してロウドライバＩＣに入り、そのロウドライバＩＣの高電圧電源回路、走査電圧極性切替回路を経由してカラムドライバＩＣの電源回路へ戻る経路などの複雑な伝播経路があることが分かった。このように、電流ループが大きな面積となるため、従来のコンデンサやフィルタなどのノイズ対策部品によるノイズ抑制効果が非常に小さくなるという問題点がある。
【０００７】
上記のように高周波電流が大きな面積の電流ループを流れる状態においてノイズ発生を抑制するためには、ノイズ源となる高周波電流のピーク値を抑えるという対策が有益であることは明白であるが、更に、電流変化を小さく抑えることに着目した。このような対策としては、ドライバＩＣの多くの出力そのものを、それぞれ定電流出力化する手段が考えられる。しかしながら、このような手段では、ドライバＩＣのチップ面積の増大によるコストアップ、並びに放熱対策が別途に必要となることに伴うコストアップを招くと共に、新たなチップ設計を伴うために多額の開発費が必要になるなどの新たな問題点があり、量産化に適さない。従って、現在量販されている汎用ドライバＩＣを用いながら、前記対策を実施する方法として、定電流機能を有するノイズ対策回路を１つにまとめて外付けで追加することによって対処することが望ましい。
【０００８】
本発明は上記事情に鑑みてなされたものであり、その目的は、データ電圧駆動回路の動作に伴い発生する高周波ノイズを、コストアップを抑制した状態で効果的に低減可能となる表示パネル用駆動装置を提供することにある。
【課題を解決するための手段】
【０００９】
請求項１記載の表示パネル用駆動装置によれば、制御手段は、外部からの画像データに基づいてデータ電圧駆動回路の出力段回路をオンし、このオン状態から、第１のスイッチング手段をオンすると共に第２のスイッチング手段をオフする。すると、データ電圧駆動回路に対して、第１のスイッチング手段を通じて電源電圧が与えられるため、当該データ電圧駆動回路内の出力段回路から画素に対してデータ電圧が印加されるようになって、その画素の充電が行われる。制御手段は、上記のようなデータ電圧の印加状態を所定の表示時間だけ継続した後に、第１のスイッチング手段をオフすると共に第２のスイッチング手段をオンするものであり、これに応じて、画素の充電電荷が第２のスイッチング手段を通じて放電されるようになる。この場合、第１のスイッチング手段を通じて流れる充電電流及び第２のスイッチング手段を通じて流れる放電電流の少なくとも一方を定電流化する定電流回路が設けられているから、それら充電電流及び放電電流の少なくとも一方の急激な変化が抑制され、これにより高周波電流が抑えられて高周波ノイズが発生し難くなる。また、第１及び第２のスイッチング手段、定電流回路、制御手段は、データ電圧駆動回路の外付け回路として構成できるから、当該データ電圧駆動回路として市販されている汎用ドライバＩＣを利用できるようになり、結果的に新たなチップ設計などを行う場合に比べてコストアップの大幅な抑制を実現できるようになる。尚、定電流回路が、充電電流及び放電電流の双方を定電流化する構成であった場合には、上記ノイズ抑制効果を一段と高め得るものである。
【００１０】
請求項２記載の表示パネル用駆動装置においては、画素に対する充電電流が第１のスイッチング手段を通じて流れると共に、画素からの放電電流が第２のスイッチング手段を通じて流れることになるが、第１のスイッチング手段を通じて流れる電流及び第２のスイッチング手段を通じて流れる電流の少なくとも一方を定電流化する定電流回路が設けられているから、上記のように流れる充電電流及び放電電流の少なくとも一方の急激な変化が抑制される。この結果、高周波電流が抑えられて高周波ノイズが発生し難くなる。また、第１及び第２のスイッチング手段、定電流回路、制御手段は、データ電圧駆動回路の外付け回路として構成できるから、当該データ電圧駆動回路として市販されている汎用ドライバＩＣを利用できるようになり、結果的に新たなチップ設計などを行う場合に比べてコストアップの大幅な抑制を実現できるようになる。尚、この場合においても、定電流回路が、充電電流及び放電電流の双方を定電流化する構成であった場合には、上記ノイズ抑制効果を一段と高め得るものである。
【００１１】
請求項３記載の表示パネル用駆動装置によれば、定電流回路をきわめて簡単な構成で実現できてコストダウンに寄与できるようになる。
【発明を実施するための最良の形態】
【００１２】
以下、本発明を無機ＥＬ表示パネル用駆動装置に適用した一実施例について図面を参照しながら説明する。
図２には、ドットマトリクス型の無機ＥＬ表示パネル（以下、ＥＬパネルと略称）１を駆動するための駆動装置の電気的構成が機能ブロックの組合せにより示されている。この図２において、ＥＬパネル１は、具体的に図示しないが、透明ガラス基板上に、第１電極、第１絶縁層、発光層、第２絶縁層、第２電極を真空蒸着やスパッタリングなどにより順次積層した周知の基本構造を有するものであり、走査電極として使用される第１電極及びデータ電極として使用される第２電極は、互いに直交したマトリクス配置とされ、以て走査電極及びデータ電極の各交点にＥＬ素子（画素に相当）が形成される構成となっている。尚、少なくとも第１電極及び第１絶縁層は透明材料により構成される。
【００１３】
車載バッテリなどから１２Ｖ電源出力を受ける電源回路２は、フライバックトランス、スイッチングレギュレータ、シリーズレギュレータなど（何れも図示せず）を含んで構成されたもので、例えば、出力電圧が５０Ｖの電源＋５０Ｖ、並びに電源出力と絶縁した状態の２００Ｖ、５Ｖ及び０Ｖの各電源Ｆ２００Ｖ、Ｆ５Ｖ、ＦＧＮＤを実現している。尚、Ｆ２００Ｖ、Ｆ５Ｖ、ＦＧＮＤの「Ｆ」は、絶縁電源であることを示す。
【００１４】
ＥＬパネル１の走査電極を走査するために設けられたロウドライバＩＣ３（走査電圧駆動回路に相当）は、そのロジック部の電源が、電源回路２の電源Ｆ５Ｖから与えられると共に、ドライバ部の電源が、電源回路２の電源Ｆ２００Ｖから後述する走査電圧極性切替回路４を通じて与えられる。また、ロウドライバＩＣ３のロジック・グラウンド及びドライバグラウンドは、電源回路２の電源ＦＧＮＤから走査電圧極性切替回路４を通じて与えられる。
【００１５】
ＥＬパネル１のデータ電極を駆動するために設けられたカラムドライバＩＣ５（データ電圧駆動回路に相当）は、そのロジック部の電源として＋５Ｖを使用しており、ドライバ部の電源は、電源回路２の電源＋５０Ｖの出力を受ける電源電圧切替回路６から供給される。また、カラムドライバＩＣ５のロジック・グラウンド及びドライバグラウンドは、グラウンドＧＮＤ（０Ｖ）から与えられる。
【００１６】
ロウドライバＩＣ３及びカラムドライバＩＣ５の制御タイミングを生成するための制御ＩＣ７（制御手段に相当）は、フレームメモリ（表示データＲＡＭ）を内蔵したもので、その入出力部の電源として＋５Ｖを使用し、ＩＣ内部の電源として＋３．３Ｖを使用する構成となっている。この制御ＩＣ７は、以下、（１）及び（２）の機能を備えたものである。
【００１７】
（１）システムバスを通じて与えられるフレーム表示データを取り込む機能、具体的には、外部のマイコンシステムから与えられる制御コマンド（チップセレクト信号、書き込み信号、レジスタセレクト信号）及び映像信号（所定ビット数のデータ信号）を入力し、内部レジスタへ各制御コマンドの書き込みを行うと共に、フレームメモリへ上記映像信号に対応した表示データの書き込みを行う機能。
【００１８】
（２）フレームメモリから読み出した表示データに基づいて、ロウドライバＩＣ３及び走査電圧極性切替回路４のための制御信号（データ信号、クロック信号、極性反転信号）、カラムドライバＩＣ５のための制御信号（データ信号、クロック信号、データストローブ信号、反転入力データ信号）、電源電圧切替回路６のための制御信号（タイミング信号Ａ及びＢ）を出力する機能。
【００１９】
一方、上記走査電圧極性切替回路４は、制御ＩＣ７からの制御信号（極性反転信号）によって、ロウドライバＩＣ３の出力を正フィールド期間（ＥＬパネル１の走査電極に正の走査電圧を順次与える期間）及び負フィールド期間（走査電極に負の走査電圧を順次与える期間）で極性反転させるためのもので、電源回路２の電源＋５０Ｖ、Ｆ２００Ｖ、ＦＧＮＤ、並びにグラウンドＧＮＤに接続されている。また、＋５Ｖ電源及びグラウンドＧＮＤに接続されたアイソレータ８は、電源回路２の電源Ｆ５Ｖ及びＦＧＮＤを走査電圧極性切替回路４を通じて受けるようになっており、制御ＩＣ７からの制御信号（データ信号及びクロック信号）をフォトカプラなどによりレベル変換してロウドライバＩＣ３に与える。
【００２０】
上記制御信号を受けるロウドライバＩＣ３は、内部のシフトレジスタにデータ信号を格納すると共に、そのシフトレジスタをクロック信号によって走査することで、ＥＬパネル１の走査電極の線順次走査を行うものであり、この走査時には、上記のような走査電圧極性切替回路４の極性反転機能に基づいて、正フィールド期間に＋２５０Ｖ、負フィールド期間に−２００Ｖの電圧出力となるように制御する。
【００２１】
制御ＩＣ７からの制御信号（データ信号、クロック信号、データストローブ信号、反転入力データ信号）を受けるカラムドライバＩＣ５は、データ信号をクロック信号に基づいてシリアル‐パラレル変換し、ロウドライバＩＣ３で選択された走査電極上の各ＥＬ素子に対応するデータを全て転送した後にデータストローブ信号でラッチすることにより、発光対象のＥＬ素子が存在するデータ電極に対してデータ電圧（０Ｖまたは５０Ｖ）を与えるように制御する。
【００２２】
つまり、カラムドライバＩＣ５は、ロウドライバＩＣ３に同期させてデータ電極に０Ｖまたは５０Ｖのデータ電圧を出力することで、ＥＬパネル１の各ＥＬ素子の発光／非発光を決める。具体的には、ロウドライバＩＣ３から＋２５０Ｖの走査電圧が出力される正フィールド期間には、発光対象のＥＬ素子が存在するデータ電極に対して、当該ＥＬ素子が存在する走査電極の走査に同期して０Ｖのデータ電圧を出力することにより、そのＥＬ素子にデータ電圧及び走査電圧の合成電圧である２５０Ｖの差電圧を印加してこれを発光させる。このとき、非発光のＥＬ素子が存在する走査電極が走査されるタイミングでは５０Ｖのデータ電圧を出力することにより、当該ＥＬ素子に印加される差電圧が２００Ｖとなるように制御し、その発光素子の発光を阻止する。また、ロウドライバＩＣ３から−２００Ｖの走査電圧が出力される負フィールド期間には、発光対象のＥＬ素子が存在するデータ電極に対して、当該ＥＬ素子が存在する走査電極の走査に同期して５０Ｖのデータ電圧を出力することにより、そのＥＬ素子にデータ電圧及び走査電圧の合成電圧である２５０Ｖの差電圧を印加してこれを発光させる。このとき、非発光のＥＬ素子が存在する走査電極が走査されるタイミングでは０Ｖのデータ電圧を出力することにより、当該ＥＬ素子に印加される差電圧が２００Ｖとなるように制御し、その発光素子の発光を阻止する。
【００２３】
尚、ＥＬ素子は交流電圧を印加することで発光するため、正フィールドと負フィールドとでカラムドライバＩＣ５の出力を反転させる必要があり、このため、カラムドライバＩＣ５では、制御ＩＣ７からの反転入力データ信号に従ってフィールド毎に入力データを反転させる構成となっている。
カラムドライバＩＣ５に対し５０Ｖの電源を供給するために設けられた電源電圧切替回路６は、図１に示すような回路構成とされている。尚、図１においては、カラムドライバＩＣ５の出力段回路９が１つのデータ電極に対応した部分のみ示されている。この出力段回路９は、電源端子ＶDD及びＶSS（グラウンドＧＮＤ）間に、ＰＭＯＳＦＥＴ１０及びＮＭＯＳＦＥＴ１１のプッシュプル回路を接続して構成されたもので、各ＭＯＳＦＥＴ１０及び１１のドレインがデータ電極に接続されている。
【００２４】
電源電圧切替回路６において、第１の定電流回路１２は、電源回路２の電源＋５０ＶとカラムドライバＩＣ５の電源端子ＶDDとの間に、負帰還抵抗として機能する抵抗１２ａ及びＰＭＯＳＦＥＴ１２ｂ（第１のスイッチング手段に相当）のソース・ドレイン間の直列回路を接続して構成されている。この場合、上記電源＋５０ＶとグラウンドＧＮＤとの間には、抵抗１３ａ、１３ｂ及びＮＭＯＳＦＥＴ１３ｃのドレイン・ソース間が直列に接続されており、当該抵抗１３ａ及び１３ｂの共通接続点に対して第１の定電流回路１２内のＰＭＯＳＦＥＴ１２ｂのゲートが接続されている。また、上記ＮＭＯＳＦＥＴ１３ｃのゲートには、制御ＩＣ７から制御信号として出力されるタイミング信号Ａが与えられる構成となっている。
【００２５】
更に、電源電圧切替回路６において、第２の定電流回路１４は、カラムドライバＩＣ５の電源端子ＶDDとグラウンドＧＮＤとの間に、ＮＭＯＳＦＥＴ１４ａ（第２のスイッチング手段に相当）のドレイン・ソース間及び負帰還抵抗として機能する抵抗１４ｂの直列回路を接続して構成されている。この場合、上記ＮＭＯＳＦＥＴ１４ａのゲートには、制御ＩＣ７から制御信号として出力されるタイミング信号Ｂが与えられる構成となっている。
尚、上記第１及び第２の定電流回路１２及び１４は、電流を例えば１００ｍＡ程度以下に抑える構成であることが望ましい。
【００２６】
さて、上記のように構成された電源電圧切替回路６は制御ＩＣからのタイミング信号Ａ及びＢにより動作されるものであり、以下においては、その動作内容について関連した作用と共に説明する。
【００２７】
［１］負フィールド時
＜ステップ１＞
制御ＩＣ７は、タイミング信号Ａを「Ｌ」、タイミング信号Ｂを「Ｈ」とすることにより、ＮＭＯＳＦＥＴ１３ｃ及びＰＭＯＳＦＥＴ１２ｂをオフすると共に、ＮＭＯＳＦＥＴ１４ａをオンし、以てカラムドライバＩＣ５の電源端子ＶDDに与える電圧を０Ｖとする。
【００２８】
＜ステップ２＞
制御ＩＣ７からカラムドライバＩＣ５に制御信号（データ信号、クロック信号、データストローブ信号、反転入力データ信号）を与える。これによりカラムドライバＩＣ５においては、データ信号をクロック信号に基づいてシリアル‐パラレル変換し、その出力段のデータが確定した後にデータストローブ信号でラッチするようになる。これに応じて、図１の例では、ＥＬ素子を発光させる場合は出力段回路９を構成するＰＭＯＳＦＥＴ１０がオンされ、ＥＬ素子を発光させない場合は出力段回路９を構成するＮＭＯＳＦＥＴ１１がオンされる。
【００２９】
＜ステップ３＞
制御ＩＣ７は、タイミング信号Ａを「Ｈ」、タイミング信号Ｂを「Ｌ」とすることにより、ＮＭＯＳＦＥＴ１３ｃ及びＰＭＯＳＦＥＴ１２ｂをオンすると共に、ＮＭＯＳＦＥＴ１４ａをオフし、以てカラムドライバＩＣ５の電源端子ＶDDに与える電圧を５０Ｖとする。この時点では、出力段回路９のＰＭＯＳＦＥＴ１０がオン状態にある画素は、対応するデータ電極に比較的高い電圧が印加されてＥＬ素子が充電されることになる。この充電時の過渡状態において、第１の定電流回路１２では、抵抗１２ａに電流が流れることによりＰＭＯＳＦＥＴ１２ｂのゲート・ソース間電位がある一定電圧で安定した状態になるという負帰還がかかるようになり、これに伴う定電流制御動作によってＥＬ素子に対する出力電流の急激な増大が抑制される。この結果、電圧印加時において、カラムドライバＩＣ５の出力電流の立ち上がりが鈍化するようになるから、高周波電流が抑えられて高周波ノイズが発生し難くなる。
この場合、上述の急激な増加が抑制された電流は、走査電極を介して、出力段回路９のＮＭＯＳＦＥＴ１１がオン状態にある画素、即ち、非発光画素に流れ込み、ＮＭＯＳＦＥＴ１１を介してＧＮＤへ流れる。この経路は、［発明が解決しようとする課題］で示したノイズ経路の（１）に当たる。従って、発光画素、非発光画素を流れる電流は、共に、急激な増加が抑制されている。
また、ロウドライバＩＣから走査電圧を印加することでＥＬ素子を発光させる。このとき、［発明が解決しようとする課題］で示した（２）のノイズ経路で電流が流れるが、ロウドライバＩＣのオン抵抗はカラムドライバＩＣのオン抵抗に比較して高いので、（１）のノイズ経路に比べれば、発生するノイズは小さい。
【００３０】
＜ステップ４＞
制御ＩＣ７は、タイミング信号Ａを「Ｈ」、タイミング信号Ｂを「Ｌ」とした状態、つまり電源端子ＶDDに与える電圧を５０Ｖとした状態を所定の表示時間（通常、約２０μ秒）だけ保持し、以てＥＬ素子の発光を継続させる。
【００３１】
＜ステップ５＞
制御ＩＣ７は、上記表示時間経過後に、タイミング信号Ａを「Ｌ」、タイミング信号Ｂを「Ｈ」とすることにより、ＮＭＯＳＦＥＴ１４のみをオンした状態に戻し、カラムドライバＩＣ５の電源端子ＶDDに与える電圧を０Ｖとする。これにより、ＥＬ素子の発光画素に蓄積されたデータ電圧分（５０Ｖ）の充電電荷がＰＭＯＳＦＥＴ１０の寄生ダイオード及び上記ＮＭＯＳＦＥＴ１４ａを通じて放電される。この放電時の過渡状態において、第２の定電流回路１４では、抵抗１４ｂに電流が流れることによりＮＭＯＳＦＥＴ１４ａのゲート・ソース間電位がある一定電圧で安定した状態になるという負帰還がかかるようになり、これに伴う定電流制御動作によってＥＬ素子からの放電電流の急激な減少が抑制される。この結果、電圧印加時において、カラムドライバＩＣ５の出力電流の立ち下がりが鈍化するようになるから、高周波電流が抑えられて高周波ノイズが発生し難くなる。
また、ロウドライバＩＣの走査を終了する。このとき、［発明が解決しようとする課題］で示した（２）のノイズ経路で電流が流れるが、前述のように、ロウドライバＩＣのオン抵抗はカラムドライバＩＣのオン抵抗に比較して高いので、（１）のノイズ経路に比べれば、発生するノイズは小さい。
【００３２】
＜ステップ６＞
ステップ２〜５の動作を、いわゆる線順次走査方式によって、１画面分、繰り返す。その後、次の正フィールドにより駆動する。
【００３３】
［２］正フィールド時
＜ステップ１＞
カラムドライバＩＣの制御は、負フィールド＜ステップ１＞と同じ。但し、このときはまだ、ロウドライバＩＣから走査電圧（＋２５０Ｖ）は印加しない。理由は、発光画素も非発光画素も全てカラム電極に０Ｖが印加されることになり、ロウドライバＩＣから走査電圧が印加されていると、全ての画素が発光してしまうからである。
【００３４】
＜ステップ２＞
カラムドライバＩＣの制御は、負フィールド＜ステップ２＞と同じ。このときもまだ、ロウドライバＩＣから走査電圧（＋２５０Ｖ）は印加しない。
【００３５】
＜ステップ３＞
カラムドライバＩＣの制御は、負フィールド＜ステップ３＞と同じ。このとき、カラムドライバＩＣ５の出力電流の立ち上がりが鈍化するようになるから、高周波電流が抑えられて高周波ノイズが発生し難くなる。
カラムドライバＩＣの制御が完了後、ロウドライバＩＣから走査電圧（＋２５０Ｖ）を印加する。このとき、［発明が解決しようとする課題］で示した（２）のノイズ経路で電流が流れるが、＜負フィールド＞の項でも述べたように、ロウドライバＩＣのオン抵抗はカラムドライバＩＣのオン抵抗に比較して高いので、（１）のノイズ経路に比べれば、発生するノイズは小さい。
【００３６】
＜ステップ４＞
カラムドライバＩＣの制御は、負フィールド＜ステップ４＞と同じ。
【００３７】
＜ステップ５＞
カラムドライバＩＣの制御をする前に、ロウドライバＩＣの走査を終了する。このとき、［発明が解決しようとする課題］で示した（２）の逆のノイズ経路で電流が流れるが、＜負フィールド＞の項でも述べたように、ロウドライバＩＣのオン抵抗はカラムドライバＩＣのオン抵抗に比較して高いので、（１）のノイズ経路に比べれば、発生するノイズは小さい。
次に、カラムドライバＩＣの制御は、負フィールド＜ステップ５＞と同じ。このとき、［発明が解決しようとする課題］で示した（１）のノイズ経路で電流が流れるが、＜負フィールド＞の項でも説明したように、カラムドライバＩＣ５の出力電流の立ち上がりが鈍化するようになるから、高周波電流が抑えられて高周波ノイズが発生し難くなる。
【００３８】
＜ステップ６＞
ステップ２〜５の動作を、いわゆる線順次走査方式によって、１画面分、繰り返す。その後、次の負フィールドに戻って、同様の操作を繰り返す。
【００３９】
以上、要するに、上記した本実施例の構成によれば、ＰＭＯＳＦＥＴ１２ｂを通じて流れる電流及びＮＭＯＳＦＥＴ１４ａを通じて流れる電流、つまりカラムドライバＩＣ５の出力電流を定電流化する第１及び第２の定電流回路１２及び１４が設けられているから、それの出力電流の急激な変化が抑制され、これにより高周波電流が抑えられて高周波ノイズが発生し難くなるものである。この場合、第１及び第２の定電流回路１２及び１４などを含んで成る電源電圧切替回路６は、制御ＩＣ７と共にカラムドライバＩＣ５の外付け回路として構成できるから、当該カラムドライバＩＣ５として市販されている汎用ドライバＩＣを利用できるようになり、結果的に新たなチップ設計などを行う場合に比べてコストアップの大幅な抑制を実現できるようになる。また、第１及び第２の定電流回路１２及び１４は、負帰還抵抗とスイッチング手段（ＭＯＳＦＥＴ）とを組み合わせた簡単な回路構成で済むから、コストダウンに寄与できることになる。
【００４０】
（その他の実施の形態）
尚、本発明は上記した実施例に限定されるものではなく、例えば以下に述べるような変形或いは拡大が可能である。
駆動対象としてドットマトリクス型の無機ＥＬ表示パネルの例を挙げたが、データ電圧駆動回路を通じて駆動されるキャラクタディスプレイ型の無機ＥＬ表示パネルに適用できる。この場合には、オン状態でデータ電圧駆動回路に電源電圧を与える第１のスイッチング手段と、オン状態で無機ＥＬ表示パネルの画素の充電電荷を放電させる第２のスイッチング手段と、第１のスイッチング手段を通じて流れる電流及び前記第２のスイッチング手段を通じて流れる電流の少なくとも一方を定電流化する定電流回路と、外部から与えられる画像データに基づいて前記データ電圧駆動回路の出力段回路をオンした状態で前記第１のスイッチング手段をオンすると共に、前記第２のスイッチング手段をオフし、その後に所定の表示時間が経過したときに第１のスイッチング手段をオフして第２のスイッチング手段をオンする制御を行う制御手段を設ける構成とすれば良い。
【００４１】
また、駆動対象は無機ＥＬ表示パネルに限らず、容量性の画素を備え且つ比較的高い電圧で駆動される表示パネル（例えばプラズマディスプレイパネル）が駆動対象であっても良いものである。
前記実施例では、第１及び第２の定電流回路１２及び１４を設ける構成としたが、これら定電流回路の１２及び１４の一方のみを設ける構成としても良く、このような構成とした場合でも、ある程度のノイズ低減効果が得られる。尚、例えば、第１の定電流回路１２を設けない場合（図１における抵抗１２ａを除去した場合）には、ＰＭＯＳＦＥＴ１２ｂとして、そのオン抵抗がカラムドライバＩＣ５内のＭＯＳＦＥＴ１０、１１より十分に大きなものを選ぶことにより、ノイズ低減を図り得るものであり、同様に、第２の定電流回路１４を設けない場合（図１における抵抗１４ｂを除去した場合）には、ＮＭＯＳＦＥＴ１４ａとして、そのオン抵抗が十分に大きなものを選べば良いものである。
【００４２】
前記実施例では、交流駆動の例で説明したが直流駆動であっても同様の効果が得られるものである。
【図面の簡単な説明】
【００４３】
【図１】本発明の一実施例を示す要部の回路構成図
【図２】全体構成を示す機能ブロック図
【符号の説明】
【００４４】
１は無機ＥＬ表示パネル、２は電源回路、３はロウドライバＩＣ（走査電圧駆動回路）、４は走査電圧極性切替回路、５はデータドライバＩＣ（データ電圧駆動回路）、６は電源電圧切替回路、７は制御ＩＣ、９は出力段回路、１２は第１の定電流回路、１２ａは抵抗（負帰還抵抗）、１２ｂはＰＭＯＳＦＥＴ（第１のスイッチング手段）、１４は第２の定電流回路、１４ａはＮＭＯＳＦＥＴ（第２のスイッチング手段）、１４ｂは抵抗（負帰還抵抗）を示す。
【図１】
2005292402.tif 000003
【図２】
2005292402.tif 000004